(57)【特許請求の範囲】
【請求項１】
操作部と、
前記操作部の操作内容に応じて、原稿に対してそれぞれ異なる処理を実行する複数の動作モードの中から一つの動作モードを設定する設定部と、
前記操作部からの読取実行要求により原稿を読み取る読取部と、
前記設定部によって設定された設定動作モードの違いによって、前記読取実行要求の前に前記読取部に読取準備動作を実行させるか否かを制御する制御部と、
を備え、
前記制御部は、
前記設定動作モードが第１動作モードである場合、前記読取実行要求の前に前記読取部に前記読取準備動作を実行させ、
前記設定動作モードが第２動作モードである場合、前記読取実行要求の後に前記読取部に前記読取準備動作を実行させ、
前記複数の動作モードは、読取データの出力先がそれぞれ異なる動作モードを含む、画像読取装置。
【請求項２】
請求項１に記載の画像読取装置において、
前記複数の動作モードは、ＦＡＸ送信モード、コピーモード、およびスキャンモードを含み、
前記制御部は、前記ＦＡＸ送信モードを前記第１動作モードとして制御し、前記コピーモードおよび前記スキャンモードを前記第２動作モードとして制御する、画像読取装置。
【請求項３】
請求項１または請求項２に記載の画像読取装置において、
前記操作部の操作内容に応じて、所定の動作モードを前記第１動作モードおよび前記第２動作モードのいずれかに属する動作モードとして登録する登録部を備える、画像読取装置。
【請求項４】
請求項１または請求項２に記載の画像読取装置において、
前記操作部の操作内容に応じて、前記読取部による読取条件を変更する変更部と、
前記動作モード設定後に前記読取条件が変更される頻度を、前記動作モード毎に記憶する記憶部とを備え、
前記制御部は、前記頻度が低い動作モードを前記第１動作モードとして制御し、前記頻度が高い動作モードを前記第２動作モードとして制御する、画像読取装置。
【請求項５】
請求項１から請求項４のいずれか一項に記載の画像読取装置において、
前記読取準備動作は、前記読取部の光源を点灯させない非点灯動作を含む、画像読取装置。
【請求項６】
請求項５に記載の画像読取装置において、
前記非点灯動作は、読取データを補正するための黒データ取得動作およびアナログフロントエンド調整のための暗レベル取得動作を含む、画像読取装置。
【請求項７】
請求項１から請求項６のいずれか一項に記載の画像読取装置において、
前記読取準備動作は、白データ取得動作および光量調整動作を含む、画像読取装置。
【請求項８】
請求項１から請求項７のいずれか一項に記載の画像読取装置において、
前記読取部が前記読取実行要求前に前記読取準備動作を実行してから前記読取実行要求までの経過時間を計時する計時部を備え、
前記制御部は、前記経過時間が所定時間以上である場合、前記読取部に前記読取準備動作を再度実行させる、画像読取装置。
【請求項９】
請求項１から請求項８のいずれか一項に記載の画像読取装置において、
前記操作部の操作内容に応じて、前記読取部による読取条件を変更する変更部を備え、
前記制御部は、前記読取実行要求前に前記読取部に前記読取準備動作を実行させてから前記読取条件が変更された場合、前記読取部に前記読取準備動作を再度実行させる、画像読取装置。
【請求項１０】
請求項１から請求項９のいずれか一項に記載の画像読取装置において、
前記制御部は、前記読取実行要求前に前記読取部に前記読取準備動作を実行させてから他の前記動作モードが設定された場合、前記読取部に前記読取準備動作を再度実行させる、画像読取装置。
【請求項１１】
請求項１から請求項８のいずれか一項に記載の画像読取装置において、
前記操作部の操作内容に応じて、前記読取部による読取条件を変更する変更部を備え、
前記制御部は、前記読取実行要求前に前記読取部に前記読取準備動作を実行させてから他の前記動作モードが設定された場合であって、かつ前記読取条件が変更された場合、前記読取部に前記読取準備動作を再度実行させる、画像読取装置。
【請求項１２】
操作部と、
前記操作部の操作内容に応じて、原稿に対してそれぞれ異なる処理を実行する複数の動作モードの中から一つの動作モードを設定する設定部と、
前記操作部からの読取実行要求により原稿を読み取る読取部と、
前記設定部によって設定された設定動作モードの違いによって、前記読取実行要求の前に前記読取部に読取準備動作を実行させるか否かを制御する制御部と、
前記操作部の操作内容に応じて、前記読取部による読取条件を変更する変更部と、
前記動作モード設定後に前記読取条件が変更される頻度を、前記動作モード毎に記憶する記憶部とを備え、
前記制御部は、
前記設定動作モードが第１動作モードである場合、前記読取実行要求の前に前記読取部に前記読取準備動作を実行させ、
前記設定動作モードが第２動作モードである場合、前記読取実行要求の後に前記読取部に前記読取準備動作を実行させ、
前記頻度が低い動作モードを前記第１動作モードとして制御し、前記頻度が高い動作モードを前記第２動作モードとして制御する、画像読取装置。
【発明の詳細な説明】
【技術分野】
【０００１】
本発明は画像読取装置および原稿読取方法に関し、詳しくは、画像読取装置において読取開始時間を短縮可能にする技術に関する。
【背景技術】
【０００２】
従来、画像読取装置において読取開始時間を短縮する技術として、例えば、特許文献１に記載されたものが知られている。その従来技術文献においては、各種設定操作後、原稿の読取開始要求前に黒レベル（暗レベル）の補正を行うことにより、読取開始要求から読取開始までの読取開始時間を短縮する技術が開示されている。
【先行技術文献】
【特許文献】
【０００３】
【特許文献１】特開平０８−１１６４３６号公報
【発明の概要】
【発明が解決しようとする課題】
【０００４】
しかしながら、上記従来技術文献のように、原稿の読取開始要求前に黒レベルの補正を行うことにより読取開始時間を短縮できるものの、必ずしも黒レベルの補正を行う必要のない場合がある。例えば、各種設定操作後に、読取解像度等の読取条件を設定し直すことが多いモードがある場合、原稿の読取開始要求前に黒レベルの補正を行うことによって却って効率が低下する虞がある。
本発明は、原稿の読み取りを行う際の効率を向上させる技術を提供するものである。
【課題を解決するための手段】
【０００５】
本明細書によって開示される画像形成装置は、操作部と、前記操作部の操作内容に応じて、原稿に対してそれぞれ異なる処理を実行する複数の動作モードの中から一つの動作モードを設定する設定部と、前記操作部からの読取実行要求により原稿を読み取る読取部と、前記設定部によって設定された設定動作モードの違いによって、前記読取実行要求の前に前記読取部に読取準備動作を実行させるか否かを制御する制御部とを備える。
【０００６】
上記画像形成装置において、前記制御部は、前記設定動作モードが第１動作モードである場合、前記読取実行要求の前に前記読取部に前記読取準備動作を実行させ、前記設定動作モードが第２動作モードである場合、前記読取実行要求の後に前記読取部に前記読取準備動作を実行させるようにしてもよい。
【０００７】
また、上記画像形成装置において、前記複数の動作モードは、読取データの出力先がそれぞれ異なる動作モードを含むようにしてもよい。その際、前記複数の動作モードは、ＦＡＸ送信モード、コピーモード、およびスキャンモードを含み、前記制御部は、前記ＦＡＸ送信モードを前記第１動作モードとして制御し、前記コピーモードおよび前記スキャンモードを前記第２動作モードとして制御するようにしてもよい。
【０００８】
また、上記画像形成装置において、前記操作部の操作内容に応じて、所定の動作モードを前記第１動作モードおよび前記第２動作モードのいずれかに属する動作モードとして登録する登録部を備えるようにしてもよい。
【０００９】
また、上記画像形成装置において、前記操作部の操作内容に応じて、前記読取部による読取条件を変更する変更部と、前記動作モード設定後に前記読取条件が変更される頻度を、前記動作モード毎に記憶する記憶部とを備え、前記制御部は、前記頻度が低い動作モードを前記第１動作モードとして制御し、前記頻度が高い動作モードを前記第２動作モードとして制御するようにしてもよい。
【００１０】
また、上記画像形成装置において、前記読取準備動作は、前記読取部の光源を点灯させない非点灯動作を含むようにしてもよい。その際、前記非点灯動作は、読取データを補正するための黒データ取得動作およびアナログフロントエンド調整のための暗レベル取得動作を含むようにしてもよい。
【００１１】
また、上記画像形成装置において、前記読取準備動作は、白データ取得動作および光量調整動作を含むようにしてもよい。
【００１２】
また、上記画像形成装置において、前記読取部が前記読取実行要求前に前記読取準備動作を実行してから前記読取実行要求までの経過時間を計時する計時部を備え、前記制御部は、前記経過時間が所定時間以上である場合、前記読取部に前記読取準備動作を再度実行させるようにしてもよい。
【００１３】
また、上記画像形成装置において、前記操作部の操作内容に応じて、前記読取部による読取条件を変更する変更部を備え、前記制御部は、前記読取実行要求前に前記読取部に前記読取準備動作を実行させてから前記読取条件が変更された場合、前記読取部に前記読取準備動作を再度実行させるようにしてもよい。
【００１４】
また、上記画像形成装置において、前記制御部は、前記読取実行要求前に前記読取部に前記読取準備動作を実行させてから他の前記動作モードが設定された場合、前記読取部に前記読取準備動作を再度実行させるようにしてもよい。
【００１５】
また、上記画像形成装置において、前記操作部の操作内容に応じて、前記読取部による読取条件を変更する変更部を備え、前記制御部は、前記読取実行要求前に前記読取部に前記読取準備動作を実行させてから他の前記動作モードが設定された場合であって、かつ前記読取条件が変更された場合、前記読取部に前記読取準備動作を再度実行させるようにしてもよい。
【００１６】
また、本明細書によって開示される原稿読取方法は、原稿に対してそれぞれ異なる処理を実行する複数の動作モードと、ユーザからの読取実行要求により前記原稿を読み取る読取部とを備えた画像読取装置における原稿読取方法であって、ユーザの選択に応じて前記複数の動作モードの中から一つの動作モードを設定する設定工程と、設定された動作モードの違いによって、前記読取実行要求の前に前記読取部に読取準備動作を実行させるか否かを判定する判定工程と、前記判定工程の後に、前記読取部によって前記原稿を読取る読取工程とを含む。
【発明の効果】
【００１７】
本発明によれば、設定部によって設定された設定動作モードの違いによって、読取実行要求の前に読取部に読取準備動作を実行させるか否かが制御する。そのため、原稿の読み取りを行う際の効率を向上させることができる。
【図面の簡単な説明】
【００１８】
【図１】本発明に係る複合機の外観斜視図
【図２】原稿読取部の要部拡大断面図
【図３】複合機の電気的構成を概略的に示すブロック図
【図４】実施形態１における原稿読取処理の流れを示すフローチャート
【図５】実施形態２における原稿読取処理の流れを示すフローチャート
【発明を実施するための形態】
【００１９】
＜実施形態１＞
次に本発明の実施形態１について図１から図４を参照して説明する。
【００２０】
１．複合機の構成
実施形態１では、本発明に係る画像読取装置をスキャナ機能、プリンタ機能、コピー機能、ファクシミリ機能等を備えた複合機１に適用した例を示す。図１は、複合機１の外観斜視図であり、図２は、原稿読取部３の要部拡大断面図である。
【００２１】
複合機１は、図１に示すように、用紙に画像を印刷する画像形成部３８（図３参照）を収容した本体部２を備え、その上方に原稿を読み取る原稿読取部（読取部の一例）３を備えている。原稿読取部３の前側には、操作パネル４（操作部の一例）が設けられ、操作パネル４により動作状態等の表示や、ユーザによる操作の入力が可能となっている。
【００２２】
原稿読取部３は、図２に示されるように、フラットベッド部６とその上方を開閉可能に覆う原稿カバー部７とを備えている。フラットベッド部６の上面には、透明な長方形状をなす、第１プラテンガラス８と第２プラテンガラス９とが並んで設けられている。原稿カバー部７は、ＡＤＦ（自動原稿供給装置）１１、原稿トレイ１２、排出トレイ１３を備えている。ＡＤＦ１１は、原稿トレイ１２に載置された原稿を一枚ずつ搬送して、その原稿を第２プラテンガラス９に対向する位置に搬送した後、排出トレイ１３上に排出する。
【００２３】
第１プラテンガラス８の下側には、読取ヘッド１４が設けられている。この読取ヘッド１４は、ＣＩＳ（Contact Image Sensor）やＣＣＤ等のイメージセンサ１５、レンズ等からなる光学素子１６、光源としての蛍光灯１７を備えている。イメージセンサ１５は、主走査方向（紙面に直交方向）に一列に並んで配置された複数のフォトダイオードを備えており、蛍光灯１７より原稿に光を当てたときの反射光を光学素子１６を介して個々のフォトダイオードで受光し、画素毎に反射光の光強度を電気信号に変換して出力する。
【００２４】
原稿の読み取りは、原稿を第１プラテンガラス８上に載置して行う場合と、ＡＤＦ１１を利用する場合とがある。前者の場合、読取ヘッド１４が副走査方向（図２の矢線Ａ方向）に移動され、その際に主走査方向（図２の紙面に直交する方向）に１ラインずつ原稿の読み取りが行われる。また、後者の場合には、読取ヘッド１４が第２プラテンガラス９に対向する位置に固定され、原稿がＡＤＦ１１の駆動によって第２プラテンガラス９に対向する位置に搬送されたときに、原稿の読み取りが主走査方向に１ラインずつ行われる。
【００２５】
２．複合機の電気的構成
次に、複合機１の電気的構成について説明する。図３は、複合機１の電気的構成を概略的に示すブロック図である。
【００２６】
複合機１は、ＣＰＵ３１、ＲＯＭ３２、ＲＡＭ３３、ＮＶＲＡＭ（不揮発性メモリ）３４、ＡＳＩＣ（特定用途用集積回路）３５、ネットワークインターフェイス３６、ファクシミリインターフェイス３７、タイマ３８等を含む制御装置３０を備えている。
【００２７】
ＲＯＭ３２には、複合機１を制御するための各種制御プログラムや各種設定、初期値等が記憶されている。ＲＡＭ３３は、各種制御プログラムが読み出される作業領域として、あるいは画像データを一時的に記憶する記憶領域として用いられる。ＡＳＩＣ３５は、画像形成部３８、原稿読取部３、操作パネル４等と接続されている。ＣＰＵ３１（設定部、制御部の一例）は、ＲＯＭ３２から読み出した制御プログラムに従って、その処理結果をＲＡＭ３３又はＮＶＲＡＭ３４に記憶させながら、ＡＳＩＣ３５を介して複合機１の各構成要素を制御する。
【００２８】
ネットワークインターフェイス３６には、コンピュータ等が接続され、このネットワークインターフェイス３６を介して相互のデータ通信が可能となっている。また、ファクシミリインターフェイス３７は、電話回線（図示せず）に接続され、このファクシミリインターフェイス３７を介して外部のファクシミリ装置等とファクシミリデータの通信が可能となっている。タイマ（計時部の一例）３８は、ＣＰＵ３１の制御に伴う各種の時間計測を行う。
【００２９】
３．原稿読取処理
次に、図４を参照して、本実施形態における原稿読取処理を説明する。図４は、原稿読取処理の流れを示すフローチャートである。原稿読取処理は、所定の制御プログラムにしたがってＣＰＵ３１の制御により実行される。また、原稿読取処理は、ユーザが、原稿読取を行うにあたって、操作パネル４の操作ボタン４Ｂを操作して複合機１の複数の動作モードの中から一つの動作モードを選択した場合に、開始される。
【００３０】
なお、本実施形態において、上記複数の動作モードには、原稿読取部３によって読み取られた読取データの出力先の違いに応じて、読取データを印字出力する「コピーモード」、読取データをメモリ、例えば内部メモリであるＮＶＲＡＭ３４あるいは外部メモリ等に記憶する「スキャンモード」、および、読取データを外部に送信出力する「Ｆａｘ送信モード」が含まれる。
【００３１】
また、上記動作モードは、ＣＰＵ３１が、ユーザによる読取実行要求の前に原稿読取部３に読取準備動作を実行させる「第１動作モード」と、読取実行要求の後に原稿読取部３に読取準備動作を実行させる「第２動作モード」とに分類される。「第１動作モード」には、例えば、「Ｆａｘ送信モード」が属し、「第２動作モード」には、例えば、「コピーモード」および「スキャンモード」が属する。  ＣＰＵ３１は、ＦＡＸ送信モードを第１動作モードとして制御し、コピーモードおよびスキャンモードを第２動作モードとして制御する。
【００３２】
このように、読取データの出力先の違いによって、読取準備動作を行うタイミングを異ならせるため、原稿の読み取りを行う際の効率を向上させることができる。これは、読取データの出力先の違いによって読取設定（読取条件）が変更される頻度が異なるからである。例えば、「Ｆａｘ送信モード」では、読取設定が変更される頻度が少なく、読取実行要求の前に読取準備動作を実行しても、その後、読取設定の変更に応じて読取準備動作を再実行する確率が低いためである。
【００３３】
なお、各動作モードの「第１動作モード」および「第２動作モード」の何れに属するかの設定は、複合機１の出荷時に固定値として設定されてもよい。あるいは、使用時に、ユーザによる操作パネル４の操作内容に応じて、ＣＰＵ（登録部の一例）３１の処理によって登録されるようにしてもよい。この場合、ユーザの意図を汲み取った、より効率的な原稿の読み取りができる。
【００３４】
さらに、ＣＰＵ３１は、ＦＡＸ送信モードを第１動作モードとして制御し、コピーモードおよびスキャンモードを第２動作モードとして制御する。そして、そのような制御状態で、さらに、ＣＰＵ３１は、操作パネル４の操作内容に応じて、所定の動作モードを第１動作モードおよび第２動作モードのいずれかに属する動作モードとして登録し、それ以後、登録情報にしたがって各モードを制御するようにしてもよい。
【００３５】
また、読取準備動作には、例えば、読取データを補正するための黒データ取得動作、白データ取得動作、およびアナログフロントエンド（ＡＦＥ）調整のための暗レベル取得動作、光量調整動作等が含まれる。この内、黒データ取得動作、ＡＦＥ調整のための暗レベル取得動作は、原稿読取部３の蛍光灯（光源）１７を点灯させない非点灯動作である。
【００３６】
ここで、読取準備動作では、例えば、読取ヘッド１４を白基準板２０（図２参照）に対向する位置まで移動させる。そして、光量調整動作では、読取ヘッド１４の蛍光灯１７から白基準板２０に対して光を照射して、明レベルの調整を行う。ＡＦＥ調整のための暗レベル取得動作では、蛍光灯１７を点灯せずに、イメージセンサ１５からの信号を受けて、暗レベルの調整を行う。白データ取得動作では、光量調整動作で明レベルが調整された状態で蛍光灯１７を点灯して白データを取得する。一方、黒データ取得動作では、ＡＦＥ調整で暗レベルが調整された状態で蛍光灯１７を点灯させないで黒データを取得する。また、取得された白データおよび黒データに基づいて、例えば、シェーディングデータが作成される。
【００３７】
さて、原稿読取処理において、ＣＰＵ３１は、ます、ユーザによる操作パネル４の操作内容に応じて、すなわち、ユーザによる動作モードの選択に応じて、原稿に対してそれぞれ異なる処理を実行する複数の動作モードの中から一つの動作モードを設定する。そして、今回の原稿読取処理において、ユーザによって、読取実行要求の前に読取準備動作を行う動作モードが選択されたかどうか、すなわち、読取実行要求の前に読取準備動作を行う動作モードが設定されたかどうかを判定する（ステップＳ１００）。言い換えれば、設定された動作モード（設定動作モード）が「第１動作モード」であるかどうかを判定する。
【００３８】
読取実行要求前に読取準備動作を行う動作モードが設定されたと判定された場合、すなわち、設定動作モードが「第１動作モード」である場合（ステップＳ１００：ＹＥＳ）、ＣＰＵ３１は、デフォルトの読取設定で、原稿読取部３に上記読取準備動作を実行させるとともに（ステップＳ１０５）、タイマ（計時部の一例）３８に計時を開始させる（ステップＳ１１０）。そして、ステップＳ１１５の処理に移行する。なお、ここで、読取設定は「読取条件」に相当する。また、デフォルトの読取設定とは、例えば、カラー／モノクロの設定がモノクロ、解像度が２００ｄｐｉである。
一方、読取実行要求前に読取準備動作を行わない動作モードが設定されたと判定された場合、すなわち、設定動作モードが「第２動作モード」である場合（ステップＳ１００：ＮＯ）、読取設定変更メニューを、例えば、操作パネル４の表示部４Ａに表示して、動作モード変更および読取設定変更を受け付ける（ステップＳ１１５）。
【００３９】
次いで、ＣＰＵ３１は、動作モードが変更されたかどうかを判定する（ステップＳ１２０）。動作モードが変更されたと判定した場合（ステップＳ１２０：ＹＥＳ）、ステップＳ１００の処理に戻る。その際、ステップＳ１１５において「第１動作モード」である他の動作モードが設定された場合（ステップＳ１００：ＹＥＳ）、ＣＰＵ３１は原稿読取部３に読取準備動作を再度実行させる（ステップＳ１０５）。この場合、動作モードが変更された場合であっても、変更された動作モードが「第１動作モード」である場合のみ、読取実行要求前に読取準備動作が再実行される。そのため、原稿の読み取りを行う際の効率を向上させることができる。
なお、これには限定されず、「第２動作モード」に変更された場合にも、読取実行要求前に読取準備動作が再実行されるようにしてもよい。
【００４０】
なお、ステップＳ１１５において「第１動作モード」である他の動作モードが設定された場合であって、かつ読取条件（読取設定）が変更された場合、ステップＳ１００を介してステップＳ１０５において原稿読取部３に読取準備動作を再度実行させるようにしてもよい。この場合、動作モードが変更されても読取条件が変更されない場合には読取準備動作の再実行が必要でない場合を除外できる。すなわち、動作モード変更のみでは読取準備動作が再実行されないため、原稿の読み取りを行う際の効率を向上させることができる。
【００４１】
一方、動作モードが変更されていないと判定した場合（ステップＳ１２０：ＮＯ）、ユーザによる操作パネル４の操作によって、読取実行要求がなされたかどうか、言い換えれば、読取実行スタートボタンが押されたかをどうか判定する（ステップＳ１２５）。
【００４２】
いまだ読取実行要求がなされていないと判定した場合（ステップＳ１２５：ＮＯ）、ステップＳ１１５の処理に戻る。一方、読取実行要求がなされたと判定した場合（ステップＳ１２５：ＹＥＳ）、読取準備動作が既に実行されているかどうか、すなわち、読取準備動作が読取実行要求前に実行されているかどうかを判定する（ステップＳ１３０）。
【００４３】
読取準備動作が読取実行要求前に実行されていないと判定した場合、（ステップＳ１３０：ＮＯ）、読取準備動作を実行する、すなわち、読取実行要求の後に読取準備動作を実行する（ステップＳ１４５）。次いで、原稿読取部３を制御して読取動作を行わせる（ステップＳ１５０）。一方、読取準備動作が既に実行されていると判定した場合、（ステップＳ１３０：ＹＥＳ）、読取準備動作の実行時と比較して、読取設定が変更されているかどうかを判定する（ステップＳ１３５）。なお、読取設定の変更は、ステップＳ１１５の表示にしたがったユーザによる操作パネル４による操作内容に応じて、ＣＰＵ（変更部の一例）３１が、原稿読取部３による読取条件を変更することによって行われる。
【００４４】
読取設定が変更されていると判定した場合（ステップＳ１３５：ＹＥＳ）、読取準備動作を再度実行する（ステップＳ１４５）。ここで、読取準備動作を再度実行するのは、読取設定として、例えば、解像度が異なると、読取準備動作で行われる処理も異なるからである。具体的には、解像度が６００ｄｐｉの場合は、白基準板を読み取った際に主走査方向の約５０００画素分のデータを取得する読取準備動作を行い、解像度が３００ｄｐｉの場合は、白基準板を読み取った際に主走査方向の約２５００画素分のデータを取得する読取準備動作を行う。また、読取設定として、例えば、カラー読取が設定された場合は、白基準板をカラーで読み取ってデータを取得する読取準備動作を行い、モノクロ読取が設定された場合は、白基準板をモノクロで読み取ってデータを取得する読取準備動作を行う。このように、読取設定に応じて異なる読取準備動作を行うことで、実際に原稿を読み取り生成される読取データの補正をより適切に行うことができる。
【００４５】
一方、読取設定が変更されていないと判定した場合（ステップＳ１３５：ＮＯ）、タイマ３８の計時値が所定時間、例えば１分を超えているかどうか判定する（ステップＳ１４０）。なお、計時値の所定時間は、動作モードに応じた値に設定されてもよい。
【００４６】
タイマ３８の計時値が所定時間を超えていると判定した場合（ステップＳ１４０：ＹＥＳ）、読取準備動作を再度実行する（ステップＳ１４５）。一方、タイマ３８の計時値が所定時間を超えていないと判定した場合（ステップＳ１４０：ＮＯ）、原稿読取部３を制御して読取動作を行わせる（ステップＳ１５０）。ここで、タイマ３８の計時値が所定時間を超えている場合に読取準備動作を再度実行するのは、読取準備動作を実行してからの経過時間が長いと、原稿読取部３の周辺温度が変化するため、周辺温度の変化による影響を低減するためである。
なお、ステップＳ１２０の処理は削除されてもよい。すなわち、読取準備動作が実行された後において動作モードが変更された場合であっても、動作モード変更に伴う、読取実行要求前の読取準備動作を再実行するかどうかの判断は行われなくでもよい。
【００４７】
４．実施形態１の効果
上記したように、実施形態１では、ＣＰＵ３１は、設定した動作モードが、ユーザによる読取実行要求の原稿読取部３に読取準備動作を実行させる「第１動作モード」であるか、読取実行要求の後に原稿読取部３に読取準備動作を実行させる「第２動作モード」であるかを判定する。そして、設定動作モードが「第１動作モード」であると判定した場合、読取実行要求の前に原稿読取部３に「読取準備動作」を実行させる。通常、上記読取準備動作は、読取データの所定の品質を確保するために、動作モードに関わらず読取動作の実行前に実行されるものである。そのため、動作モードの違いによって読取実行要求前に読取準備動作を実行させる場合とさせない場合とで切り分け、「第１動作モード」に属する動作モードに関しては、読取実行要求前に読取準備動作を実行し、「第２動作モード」に属する動作モードに対してのみ読取実行要求の後に読取準備動作を実行する。
【００４８】
すなわち、実施形態１では、全ての動作モードに対して読取実行要求の前に読取準備動作が実行されない。例えば、黒レベルの補正は、「第２動作モード」に属する動作モードに対して読取実行要求の後に実行される。そのため、読取動作の実行前に黒レベルが再補正される回数が低減される。一方、「第１動作モード」に属する動作モードに関しては、読取実行要求前に読取準備動作が実行されるため、読取開始要求から即座に読取動作を開始することができ、読取開始時間を短縮することができる。そのため、原稿の読み取りを行う際の効率を向上させることができる。
【００４９】
＜実施形態２＞
次に実施形態２について図５を参照して説明する。図５は、実施形態２における原稿読取処理の流れを示すフローチャートである。なお、フローチャートの大部分は図４のものと同様であるので、図４のフローチャートと共通する部分については同一の符号を付して説明を省略する。
【００５０】
実施形態２においては、ＣＰＵ３１は、「第１動作モード」あるいは「第２動作モード」として事前に一度設定された動作モードのモード属性を、読取条件が変更される頻度に応じて設定変更する。言い換えれば、ＣＰＵ３１は、読取条件が変更される頻度に応じて、どの動作モードで読取実行要求の前に読取準備動作を実行するかを設定変更する。
【００５１】
そのため、実施形態２においては、図５のステップＳ１５０において読取動作が行われた後において、動作モード毎の読取設定変更頻度ＤＢ（デーダベース）を更新する（ステップＳ２１０）。読取設定変更頻度ＤＢは、例えば、ＮＶＲＡＭ３４内に設けられる。なお、今回の読取実行において読取設定が変更されなかった動作モードの読取設定変更頻度ＤＢの更新はされない。
【００５２】
次いで、読取設定変更頻度ＤＢの値にしたがい、どの動作モードで読取実行要求の前に読取準備動作を実行するかを設定変更する（ステップＳ２１５）。本実施形態では、ＣＰＵ３１は、読取設定変更頻度が低い動作モードを「第１動作モード」に設定変更し、読取設定変更頻度が高い動作モードを「第２動作モード」に設定変更する。なお、当初の設定に変更がない場合は設定変更されない。
ここで、読取設定変更頻度とは、所定期間に読取設定変更が実行される回数であり、例えば、例えば、一日の間に解像度が変更される回数である。そのため、この所定期間は、ステップＳ１００からステップＳ２１０までの処理を行い、所定期間後に、所定期間内の頻度に応じてステップＳ２１５が実行される。
【００５３】
５．実施形態２の効果
上記したように、実施形態２では、読取設定変更頻度に応じて動作モードを、読取実行要求の前に読取準備動作を実行する「第１動作モード」とするか、あるいは読取実行要求の後に読取準備動作を実行する「第２動作モード」とするかが決定される。その際、読取設定変更頻度が低い動作モードが「第１動作モード」に設定され、読取設定変更頻度が高い動作モードが「第２動作モード」に設定される。そのため、読取設定変更頻度が高い動作モードにおいて読取実行要求前に「読取準備動作」を実行すると、読取実行要求後に読取準備動作を再実行する確率が高くなるため、読取設定変更頻度が高い動作モードを「第２動作モード」に設定することによって、そのような再実行を抑制できる。一方、読取設定変更頻度が低い動作モードでは、読取実行要求前に読取準備動作を実行しても、読取実行要求後に読取準備動作を実行する確率は低い。そのため、読取設定変更頻度が低い動作モードでは、読取実行要求前に読取準備動作を実行しておくことによって、読取実行要求から読取動作終了までの時間を短縮することができる。よって、より効率的に原稿を読み取ることができる。
【００５４】
なお、各動作モードの「第１動作モード」および「第２動作モード」の何れに属するかの登録設定に関して、例えば、ユーザが登録しない場合は、読取設定変更頻度によって変更する機能をＯＮにし、ユーザが登録した場合は、読取設定変更頻度によって変更する機能をＯＦＦにするようにしてもよい。あるいはユーザによる登録機能を省略してもよい。
【００５５】
＜他の実施形態＞
本発明は上記記述及び図面によって説明した実施形態に限定されるものではなく、例えば次のような実施形態も本発明の技術的範囲に含まれる。
【００５６】
（１）上記各実施形態では、読取実行要求前に実行する読取準備動作として、黒データ取得動作、白データ取得動作、アナログフロントエンド（ＡＦＥ）調整のための暗レベル取得動作、および光量調整動作を実行する例を示したが、これに限られない。その他の動作を実施するようにしてもよい。
【００５７】
あるいは、読取実行要求前に実行する読取準備動作として、蛍光灯（光源）１７を点灯させない非点灯動作である、黒データ取得動作、およびＡＦＥ調整のための暗レベル取得動作のみを実行し、蛍光灯（光源）１７を点灯させる必要のある白データ取得動作および光量調整動作は、読取実行要求後に実行する読取準備動作としてもよい。この場合、蛍光灯１７を点灯させるための電力の無駄な使用を抑制できる。すなわち、動作モードが選択されても必ずしも読取実行要求がされるとは限られない。そのため、動作モードが選択されても読取実行要求がされなかった場合には、「第１動作モード」の動作モードが選択されたことを条件に、蛍光灯１７を点灯させる必要のある準備動作を実行すると、電力の無駄となる。
【００５８】
（２）上記各実施形態では、設定動作モードが「第１動作モード」の場合に読取実行要求前に読取準備動作を実行する例を示したが、これに限られず、設定動作モードが「第１動作モード」の場合であっても読取実行要求前に読取準備動作を実行しないようにしてもよい。
【００５９】
（３）動作モードとしては、読取データの出力先がそれぞれ異なる動作モードに限られない。例えば、カラー読取モード／モノクロ読取モード、高画質読取モード／高生産読取モード等も含まれる。この場合、例えば、モノクロ読取モードおよび高生産読取モードが「第１動作モード」とされ、カラー読取モードおよび高画質読取モードが「第２動作モード」とされる。
【符号の説明】
【００６０】
１…複合機、３…原稿読取部、４…操作パネル、１７…蛍光灯、３１…ＣＰＵ、３４…ＮＶＲＡＭ、３８…タイマ
【図１】
0005440582.tif 000002
【図２】
0005440582.tif 000003
【図３】
0005440582.tif 000004
【図４】
0005440582.tif 000005
【図５】
0005440582.tif 000006